(57)【特許請求の範囲】
【請求項１】
付属するキーとの認証信号の送受信に基づいて使用を制限し、又は、その制限を解除する電子機器であって、
前記キーと認証信号の送受信を行う送受信部と、
前記送受信部によって前記キーから受信した、前記認証信号を情報として含む電波の信号レベルを検出する信号レベル検出部と、
前記信号レベル検出部によって検出した信号レベルが所定の閾値以上であるか否か、又は、前記信号レベル検出部によって検出した信号レベルが所定の閾値以上である場合に前記認証信号に特定の識別コードが含まれているか否かを判定する認証制御部と、
前記電子機器への操作頻度を検出する操作頻度検出部と、
前記認証制御部による判定結果に応じて、前記電子機器の使用を制限し、又は、その制限を解除するための機器使用制限信号を発生させる機器使用制限信号発生部と、を備え、
前記認証制御部は、前記操作頻度検出部が検出した前記電子機器への操作頻度に応じて、前記所定の閾値を変化させる、
ことを特徴とする電子機器。
【請求項２】
請求項１記載の電子機器であって、
前記機器使用制限信号発生部は、前記信号レベル検出部によって検出した信号レベルが所定の閾値未満である場合に、前記電子機器の使用を制限するための機器使用制限信号を発生させる、
ことを特徴とする電子機器。
【請求項３】
請求項１記載の電子機器であって、
前記機器使用制限信号発生部は、前記信号レベル検出部によって検出した信号レベルが所定の閾値以上であり、かつ、前記認証制御部が前記特定の識別コードが含まれていないと判定した場合は、前記電子機器の使用を制限するための機器使用制限信号を発生させる、
ことを特徴とする電子機器。
【請求項４】
請求項１記載の電子機器であって、
前記機器使用制限信号発生部は、前記信号レベル検出部によって検出した信号レベルが所定の閾値以上であり、かつ、前記認証制御部が前記特定の識別コードが含まれていると判定した場合は、前記電子機器の使用を可能とするための機器使用制限信号を発生させる、
ことを特徴とする電子機器。
【請求項５】
請求項１に記載の電子機器であって、
前記認証制御部は、前記電子機器への操作中か否かの情報を前記送受信部に送信させる、
ことを特徴とする電子機器。
【請求項６】
前記電子機器は、携帯電話である、請求項１から５のいずれか一項に記載の電子機器。
【請求項７】
電子機器に付設される使用制限装置であって、
前記電子機器に付属するキーと認証信号の送受信を行う送受信部と、
前記送受信部によって前記キーから受信した、前記認証信号を情報として含む電波の信号レベルを検出する信号レベル検出部と、
前記信号レベル検出部によって検出した信号レベルが所定の閾値以上であるか否か、又は、前記信号レベル検出部によって検出した信号レベルが所定の閾値以上である場合に前記認証信号に特定の識別コードが含まれているか否かを判定する認証制御部と、
前記電子機器への操作頻度を検出する操作頻度検出部と、
前記認証制御部による判定結果に応じて、前記電子機器の使用を制限し、又は、その制限を解除するための機器使用制限信号を発生させる機器使用制限信号発生部と、を備え、
前記認証制御部は、前記操作頻度検出部が検出した前記電子機器への操作頻度に応じて、前記所定の閾値を変化させる、
ことを特徴とする使用制限装置。
【請求項８】
請求項７記載の使用制限装置であって、
前記機器使用制限信号発生部は、前記信号レベル検出部によって検出した信号レベルが所定の閾値未満である場合に、前記電子機器の使用を制限するための機器使用制限信号を発生させる、
ことを特徴とする使用制限装置。
【請求項９】
請求項７記載の使用制限装置であって、
前記機器使用制限信号発生部は、前記信号レベル検出部によって検出した信号レベルが所定の閾値以上であり、かつ、前記認証制御部が前記特定の識別コードが含まれていないと判定した場合は、前記電子機器の使用を制限するための機器使用制限信号を発生させる、
ことを特徴とする使用制限装置。
【請求項１０】
請求項７記載の使用制限装置であって、
前記機器使用制限信号発生部は、前記信号レベル検出部によって検出した信号レベルが所定の閾値以上であり、かつ、前記認証制御部が前記特定の識別コードが含まれていると判定した場合は、前記電子機器の使用を可能とするための機器使用制限信号を発生させる、
ことを特徴とする使用制限装置。
【請求項１１】
請求項７に記載の使用制限装置であって、
前記認証制御部は、前記電子機器への操作中か否かの情報を前記送受信部に送信させる、
ことを特徴とする使用制限装置。
【請求項１２】
前記電子機器は、携帯電話である、請求項７から１１のいずれか一項に記載の使用制限装置。
【請求項１３】
電子機器に付設される使用制限装置との認証信号の送受信に基づいて警告をするキーであって、
前記使用制限装置と認証信号の送受信を行う送受信部と、
前記送受信部によって前記使用制限装置から受信した、前記認証信号を情報として含む電波の信号レベルを検出する信号レベル検出部と、
前記信号レベル検出部によって検出した信号レベルが所定の閾値以上であるか否か、又は、前記信号レベル検出部によって検出した信号レベルが所定の閾値以上である場合に前記認証信号に特定の識別コードが含まれているか否かを判定する認証制御部と、
前記認証制御部による判定結果に応じて、警告をするための警告信号を発生させる警報回路部と、を備え、
前記認証制御部は、前記使用制限装置から通知された前記電子機器への操作頻度に応じて、前記所定の閾値を変化させる、
ことを特徴とするキー。
【請求項１４】
請求項１３記載のキーであって、
前記警報回路部は、前記信号レベル検出部によって検出した信号レベルが所定の閾値未満である場合に、警告をするための警告信号を発生させる、
ことを特徴とするキー。
【請求項１５】
請求項１３記載のキーであって、
前記警報回路部は、前記信号レベル検出部によって検出した信号レベルが所定の閾値以上であり、かつ、前記認証制御部が前記特定の識別コードが含まれていないと判定した場合は、警告をするための警告信号を発生させる、
ことを特徴とするキー。
【請求項１６】
前記電子機器は、携帯電話である、請求項１３から１５のいずれか一項に記載のキー。
【発明の詳細な説明】
【技術分野】
【０００１】
本発明は、携帯電話や携帯情報端末、パソコン等各種機器の置き忘れや盗難に際して、その使用を制限することのできる使用制限装置、キーおよび使用制限システムに関する。
【背景技術】
【０００２】
近年、携帯電話やＰＤＡ、パソコン等の電子機器は、通信手段及び情報処理手段として広く普及している。しかし、それに伴って置き忘れ等による紛失や盗難に遭う例も多く発生し、他人による不正使用や電話帳など個人情報の漏洩の危険性が増えており、それに伴ってセキュリティを高める技術がますます重要になってきている。
【０００３】
従来、携帯電話１とこれら機器に付属して機器の使用者が常時携帯可能なキー１０とから構成され、識別コードを相互に通信（以下、ポーリングという）することによって機器１〜３の使用制限を解除し、相互の距離が所定以上離れて受信レベルが低下した際に、機器１〜３の使用制限の解除を停止して操作不能にするとともに、無線通信ユニット（以下、キーという）１０で警報信号を発するようにした機器の使用制限装置の例が知られている（例えば、特許文献１参照）。
【特許文献１】
特許第２９３１２７６号
【発明の開示】
【発明が解決しようとする課題】
【０００４】
しかしながら、上記従来における機器の使用制限装置にあっては、置き忘れや盗難などにより機器１が使用者の手元から離れると機器が使用できなくなると共に、キー１０から発する警告で機器が離れたことに直ちに気付ことで事後の処置を迅速に行うことができる効果が得られるものの、機器１とキー１０の間では、ｍｓオーダの頻繁なポーリングを常時行っており、それに伴って電力消費の増大化を招来し、電池の寿命が短くなるという問題がある。
【０００５】
本発明は、上記の事情に鑑みてなされたものであって、電子機器の置き忘れや盗難に際し、その使用を制限して他人による不正使用を防止するとともに、セキュリティーレベルを下げずに電力消費を抑制することのできる使用制限装置、キーおよび使用制限システムを提供することを目的とする。
【課題を解決するための手段】
【０００６】
本発明の使用制限装置は、電子機器に付設される使用制限装置であって、前記電子機器に付属するキーと認証信号の送受信を行う送受信処理部と、前記電子機器への操作頻度を検出する操作頻度検出部と、前記操作頻度検出部で検出した操作頻度に基づいて、前記送受信処理部に前記認証信号を送信させる認証間隔を設定するポーリング間隔制御部と、を備えることを特徴とする。
【０００７】
また、本発明の使用制限装置は、電子機器に付設される使用制限装置であって、前記電子機器に付属するキーと認証信号の送受信を行う送受信処理部と、前記送受信処理部によって前記キーから受信した、前記認証信号を情報として含む電波の信号レベルを検出する信号レベル検出部と、前記信号レベル検出部によって検出した信号レベルが所定の閾値以上であるか否か、および、前記信号レベル検出部によって検出した信号レベルが所定の閾値以上である場合に前記認証信号に特定の識別コードが含まれているか否かを判定する認証処理部と、前記電子機器への操作頻度を検出する操作頻度検出部と、前記操作頻度検出部で検出した操作頻度に基づいて、前記送受信処理部に前記認証信号を送信させる認証間隔を設定するポーリング間隔制御部と、前記ポーリング間隔制御部によって設定した認証間隔で前記送受信処理部に前記認証信号を送受信させた結果、前記認証処理部による判定結果に応じて、前記電子機器の使用を制限するまたはその制限を解除するための機器使用制限信号を発生させる機器使用制限信号発生部と、を備えることを特徴とする。
【０００８】
また、本発明の使用制限装置は、前記機器使用制限信号発生部が、前記信号レベル検出部によって検出した信号レベルが所定値未満である場合に、前記電子機器の使用を制限するための機器使用制限信号を発生させることを特徴とする。
【０００９】
また、本発明の使用制限装置は、前記機器使用制限信号発生部が、前記信号レベル検出部によって検出した信号レベルが所定の閾値以上である場合において、前記認証処理部が前記特定のコードが含まれていないと判定した場合、前記電子機器の使用を制限するための機器使用制限信号を発生させる、ことを特徴とする。
【００１０】
本発明のキーは、本発明の使用制限装置と認証信号の送受信をする送受信部を備えるキーであって、前記送受信部に前記認証信号を送受信させる認証間隔を、前記送受信部によって前記使用制限装置から受け付けた認証間隔に設定するポーリング間隔制御部を備えることを特徴とする。
【００１１】
また、本発明の使用制限方法は、キーとの間で認証信号の送受信を行い、認証に失敗している期間中の前記電子機器の使用を制限する使用制限方法であって、前記電子機器への操作頻度を検出するステップと、検出した操作頻度に基づいて、前記認証信号を送信する認証間隔を設定するステップと、設定した認証間隔毎に認証信号を送信するステップと、を有する。
【００１２】
また、本発明の使用制限方法はキーとの間で認証信号の送受信を行い、認証に失敗している期間中の前記電子機器の使用を制限する使用制限方法であって、前記電子機器への操作頻度を検出する第１の検出ステップと、検出した操作頻度に基づいて、前記認証信号を送信する認証間隔を設定する設定ステップと、設定した認証間隔毎に前記認証信号を送信する送信ステップと、前記キーから前記認証信号を受信する受信ステップと、前記認証信号を情報として含む電波の信号レベルを検出する第２の検出ステップと、検出した信号レベルが所定の閾値以上であるか否かを判定する第１の判定ステップと、検出した信号レベルが所定の閾値以上である場合に前記認証信号に特定の識別コードが含まれているか否かを判定する第１の判定ステップと、前記第１の判定ステップおよび前記第２の判定ステップの判定結果に応じて、前記電子機器の使用を制限するまたはその制限を解除する制御ステップと、を有する。
【００１３】
この構成により、電子機器を置き忘れたり盗難に遭った際に、その使用をできなくして他人による不正使用を防止するとともに、常時同じ間隔で相互に通信を行う場合に比べて、電子機器及びキーの電力消費を抑制することが可能となる。
【００１４】
また、本発明の使用制限装置は、前記認証処理部が、前記ポーリング間隔制御部によって設定した認証間隔を前記送受信処理部に通知させることを特徴とする。
【００１５】
この構成により、電子機器を置き忘れたり盗難に遭った際に、その使用をできなくして他人による不正使用を防止するとともに、使用制限装置とキーの通信間隔を同時に変化させることができるので、電子機器及びキーの電力消費をさらに抑制することが可能となる。
【００１６】
また、本発明の使用制限装置は、前記ポーリング間隔制御部が、前記電子機器へのある操作から次の操作までの間隔が所定の操作時間間隔より長い場合は前記認証間隔を所定の認証時間間隔より短く設定し、前記電子機器へのある操作から次の操作までの間隔が所定の操作時間間隔より短い場合は前記認証間隔を所定の認証時間間隔より長く設定することを特徴とする。
【００１７】
この構成により、電子機器を置き忘れたり盗難に遭った際に、その使用をできなくして他人による不正使用を防止するとともに、常時同じ間隔で相互に通信を行う場合に比べて、電子機器及びキーの電力消費を抑制することが可能となる。
【００１８】
また、本発明の使用制限装置は、前記認証処理部が、前記操作頻度検出部が検出した前記電子機器への操作頻度に応じて、前記所定の閾値を変化させることを特徴とする。
【００１９】
この構成により、電子機器を置き忘れたり盗難に遭った際に、その使用をできなくして他人による不正使用を防止するとともに、常時同じ間隔で相互に通信を行う場合に比べて、電子機器及びキーの電力消費を抑制することが可能となる。
【００２０】
また、本発明の使用制限装置は、前記機器使用制限解除信号発生部によって前記電子機器の使用を制限するための機器使用制限信号を発生させたとき、警告を報知する警報部を備えることを特徴とする。
【００２１】
また、本発明のキーは、前記送受信処理部によって前記電子機器から受信した、前記認証信号を情報として含む電波の信号レベルを検出する信号レベル検出部と、前記信号レベル検出部によって検出した信号レベルが所定の閾値以上であるか否か、および、前記信号レベル検出部によって検出した信号レベルが所定の閾値以上である場合に前記認証信号に特定の識別コードが含まれているか否かを判定する認証処理部と、前記信号レベル検出部によって検出した信号レベルが所定値未満となった場合に、警告を報知する警報部と、を備えることを特徴とする。
【００２２】
この構成により、キーまたは電子機器を置き忘れた際、直ちに気づくことができるので、キーがないことで電子機器を使用できないという事態を回避することができる。
【００２３】
また、本発明の電気機器は、本発明のの使用制限装置を備えるものである。
【００２４】
また、本発明の携帯電話は、本発明の使用制限装置を備えるものである。
【００２５】
また、本発明の使用制限システムは、本発明の電子機器に付設された使用制限装置と、該電子機器に付属するキーと、により構成されるものである。
【００２６】
また、本発明の使用制限装置は、本発明の電子機器に布設された使用制限装置と、本発明のキーと、により構成されるものである。
【００２７】
この構成により、電子機器を置き忘れたり盗難に遭った際に、その使用をできなくして他人による不正使用を防止するとともに、常時同じ間隔で相互に通信を行う場合に比べて、電子機器の電力消費を抑制することが可能となる。
【００２８】
また、本発明の使用制限システムは、前記使用制限装置の送受信処理部と前記キーの送受信部が、半二重通信により、特定の識別コードを搬送することを特徴とする。
【００２９】
この構成により、電子機器を置き忘れたり盗難に遭った際に、その使用をできなくして他人による不正使用を防止できるとともに、使用制限装置とキーの通信間隔を同時に変化させることにより、電子機器及びキーの電力消費をさらに抑制することが可能となる。
【発明の効果】
【００３０】
本発明によれば、電子機器の置き忘れや盗難に際し、その使用を制限して他人による不正使用を防止するとともに、電力消費を抑制することのできる使用制限装置、キーおよび使用制限システムを提供できる。
【発明を実施するための最良の形態】
【００３１】
本発明の実施形態では、置き忘れや盗難に際してその使用を制限する電子機器として、携帯電話を例示する。まず、本発明に係る電子機器の使用制限システム、使用制限装置及びキーの概要を説明する。
【００３２】
図１は、携帯電話における使用制限システムの概略構成を示す図である。本実施形態に係る携帯電話の使用制限システムでは、携帯電話１に付設された使用制限装置２０と、独立して設けたキー１０との間で、アンテナ２００、１００を介して予め定められた識別コード信号をＲＦＩＤ（Radio Frequency Identification：無線周波数識別）で使用される短距離通信用の電波やＵＷＢ（Ultra Wide Band：超広帯域無線）等を用いてポーリングを行う。または、双方向に微弱な電波を送受信するようなポーリングを行う。
【００３３】
携帯電話１は、アンテナ３００を介して基地局との間で無線通信を行う従来の一般的な携帯電話に、使用制限手段として使用制限装置２０を内蔵したものである。なお、使用制限装置２０は、携帯電話１にコネクタを用いて装着したり、或いはケーブルを用いて接続する構成としてもよい。
【００３４】
キー１０は、カードや鍵などの持ち運びに便利な形態を有し、携帯電話１の使用者がポケットやバッグ等に入れて携帯電話１と所定の距離範囲内で使用され、使用制限装置２０との間でポーリングを行う。
【００３５】
使用制限装置２０は、キー１０との間でポーリングを行っている間は、携帯電話１に対して使用制限解除信号を発してその使用を可能にするとともに、紛失や盗難等によりキー１０との距離が所定範囲を超えて電波が届かなくなりポーリングが不能になった際に、使用制限解除信号を停止して携帯電話１をロックすることにより、不正使用や電話帳等個人情報の漏洩を防止する。
【００３６】
以下、本実施形態に係るキー１０及び使用制限装置２０の構成と、携帯電話１における使用制限システムの動作について図面を用いて説明する。
【００３７】
（第１の実施形態）
図２は、本発明の第１の実施形態に係るキーの概略構成を示す図である。同図に示すように、キー１０は、無線部１３０と、認証処理部１０９及び警報回路１１２を有する構成である。
【００３８】
無線部１３０は、使用制限装置２０から送信された電波を受信するとともに、認証処理部２０９からの認証信号を電波に変換するアンテナ１００と、アンテナ１００を送信及び受信に応じて切り替える分波回路１０１と、アンテナ１００を流れる電気信号を増幅する増幅器１０５と、増幅器１０５から入力した電気信号をフィルタリング等の処理を行い、受信信号として出力する受信処理部１０６と、受信処理部１０３から入力した受信信号を復調する復調処理部１０７と、受信信号を搬送する搬送波の電界レベルを検出する信号レベル検出部１０８と、送信する識別コード信号に基づいて使用制限装置２０との無線通信に利用する周波数の電気信号を変調処理する変調処理部１０４と、変調した電気信号を増幅器１０２に出力する送信処理部１０３と、送信処理部１０３から入力した電気信号を電力増幅し、その電気信号をアンテナ１００に出力する増幅部１０２と、を有して構成される。
【００３９】
認証処理部１０９は、予め設定された、キー１０に固有の識別コードを使用制限装置２０と通信する（以下、ポーリングと称する）ポーリング間隔を設定するポーリング間隔設定部１２１と、設定したポーリング間隔を記憶するポーリング間隔記憶部１２０と、ポーリング間隔を計時するタイマー（１）１１０と、識別コードを記憶する識別コードメモリ１１１と、を備える構成される。
【００４０】
次に、以上のように構成されたキー１０の動作について説明する。
ポーリング間隔記憶部１２０に記憶されたポーリング間隔をタイマー（１）１１０が計時する度に、識別コードメモリ１１１から識別コードが読み出され、その識別コードが変調処理部１０４に出力される。変調処理部１０４は、その識別コードを基に使用制限装置２０との無線通信に用いる周波数の電気信号を変調し、変調されたその電気信号を送信処理部１０３がフィルタリング等の処理を施した後、増幅器１０２により電力増幅された電気信号が分波回路１０１を介してアンテナ１００から電波として放射される。
【００４１】
一方、使用制限装置２０から送出された電波はアンテナ１００で受信され、分波回路１０１を介して増幅器１０５が増幅した後、受信処理部１０６によってフィルタリング等の処理がなされた電気信号を復調処理部１０７が復調する。
【００４２】
また、受信処理部１０６で処理された受信信号は、信号レベル検出部１０８に出力されてその受信信号の強度値（以下、受信信号レベルと称する）が検出される。検出された受信信号レベルが認証処理部１０９において規定値以上かどうかが判定され、その判定結果に基づいて使用制限装置２０との距離が所定の範囲内にあるか否かが判断される。そして、受信信号レベルが規定値未満の場合は、キー１０が使用制限装置２０から所定の距離を超えて離れていると判断し、警報回路１１２において警告信号を出力する。一方、規定値以上の場合は、認証処理部１０９は、復調された識別コードが識別コードメモリ１１１に記憶された識別コードと一致するか否かを判定し、一致しない場合は警報回路１１２において警告信号を出力し、一致する場合は認証動作を継続する。
【００４３】
なお、復調処理部１０７によって復調したデータの中に受信信号にポーリング間隔の設定を変更する旨の情報が含まれている場合は、ポーリング間隔設定部１２１において、ポーリング間隔記憶部１２０に記憶されているポーリング間隔を使用制限装置２０から指定された設定値に書き換える。
【００４４】
図３は、本発明の第１の実施形態に係る使用制限装置２０の概略構成を示す図である。同図に示すように、使用制限装置２０は、無線部２３０と、携帯電話１の操作キーの動作を検出するキー入力部２１３と、ポーリング処理部２４０と、認証処理部２０９と、機器使用制限信号発生部２１９と、警報回路２１２を有する構成である。
【００４５】
無線部２３０を構成する各部は、キー１０における無線部１３０を構成する機能部のうち、同一の名称のものと同一の機能を有する。このため、ここでは説明を省略する。
【００４６】
ポーリング処理部２４０は、携帯電話１へキー操作をキー入力部２１３で検出したときにタイマー（２）２１０が計時していた時刻を記憶するキー入力時刻記憶部２１４と、定期的にキー入力時刻記憶部２１４に記憶された時刻の有無を参照して携帯電話１への操作がなされているか否かを確認する操作頻度検出部２１５と、操作頻度検出部２１５による確認処理の結果、携帯電話１への操作がなされていることを検出した場合に計時を開始するタイマー（３）２１６と、キー１０と通信するポーリング間隔を記憶するポーリング間隔設定記憶部２１８と、ポーリング間隔設定記憶部２１８に記憶されたポーリング間隔及びタイマー（３）２１６で計時される時刻に基づいてポーリング間隔を決定するポーリング間隔制御部２１７と、を備えて構成される。
【００４７】
認証処理部２０９は、ポーリング間隔制御部２１７で決定されたポーリング間隔を記憶するポーリング間隔記憶部２２０と、前回のポーリングからの経過時間を計時するタイマー（２）２１０と、予め設定され使用制限装置２０に固有の識別コードを記憶する識別コードメモリ２１１と、を有して構成される。
【００４８】
次に、以上のように構成された使用制限装置２０の動作について説明する。
【００４９】
操作頻度検出部２１５は、定期的にキー入力時刻記憶部２１４に記憶された時刻の有無を参照して携帯電話１への操作がなされているか否かを確認し、操作頻度検出部２１５による確認処理の結果、携帯電話１への操作がなされていることを検出した場合に、ポーリング間隔制御部２１７にその旨通知する。ポーリング間隔制御部２１７は、操作頻度検出部２１５から通知を受け付けるとタイマー（３）２１６に計時を開始させ、操作頻度検出部２１５から携帯電話１への操作がなされていないことを通知されるまでの時間に応じて、ポーリング間隔を適宜調整し、そのポーリング間隔をポーリング間隔記憶部２２０に記憶させる。
【００５０】
タイマー（２）２１０によって計時した経過時間がポーリング間隔設定記憶部２２０に記憶されたポーリング間隔と一致あるいは越えたとき、認証処理部２０９は、識別コードメモリ２１１から識別コードを読み出し、その識別コードを変調処理部２０４に出力する。変調処理部２０４は、その識別コードを基にキー１０との無線通信に用いる周波数の電気信号を変調し、変調されたその電気信号を送信処理部２０３がフィルタリング等の処理が施した後、増幅器２０２により電力増幅された電気信号が分波回路１０１を介してアンテナ２００から電波として放射される。
【００５１】
一方、キー１０から送出された電波はアンテナ２００で受信され、分波回路１０１を介して増幅器２０５が増幅した後、受信処理部２０６によってフィルタリング等の処理がなされた電気信号を復調処理部２０７が復調し、識別コードを抽出する。認証処理部２０９では、復調された識別コードが識別コードメモリ２１１に記憶された識別コードと一致するか否かを判定し、一致しない場合は、使用制御解除信号発生部２１９が使用制限解除信号の出力を停止して、携帯端末１の使用をできなくすると共に、警報回路２１２により警告信号を出力する。
【００５２】
また、受信処理部２０６で処理された受信信号は、信号レベル検出部２０８に出力されてその受信信号の強度値（受信信号レベル）が検出される。検出された受信信号レベルが認証処理部２０９において規定値以上かどうかが判定され、判定結果に基づいてキー１０との距離が所定の範囲内にあるか否かが判断される。そして、受信信号レベルが規定値以下の場合は、キー１０が所定の距離を超えて離れていると判断し、警報回路２１２にて警告信号を出力する。
【００５３】
なお、警報回路２１２において報知する警告は、携帯電話１に通常備えられる通話用スピーカを鳴動させるものである。また、液晶やＬＥＤ等の表示デバイスに警告表示を行うものであってもよい。
【００５４】
次に、以上のように構成された本実施形態に係る使用制限システムの動作について説明する。図４は、本実施形態における携帯電話１の使用制限システムの動作手順を説明するためのフローチャートである。
【００５５】
まず、ステップＳ１０１において携帯電話１の電源が投入されると、使用制限装置２０は、ポーリング間隔制御部２１７がポーリング間隔記憶部２２０に記憶すべきポーリング間隔Ｔｐを初期値Ｔ１に設定し、ポーリング間隔Ｔ１にてそれぞれ無線部２３０を介してポーリングを開始する（ステップＳ１０２）。
【００５６】
図１７は、使用制限装置２０がポーリング間隔Ｔ１にてキー１０に対してポーリングを行い、そのポーリングを受け付けたキー１０が応答する場合のシーケンス図を示している。図１７では、使用制限装置２０からの周期的なポーリング（例えばT1秒）の2以上の整数倍の周期（例えば（T1×２）秒）でキー１０において応答する場合を示している。キー１０は、使用制限装置２０からの周期的なポーリングを受け付ける度に、そのポーリングに対して応答しても構わないが、図１７に示すように、２度ポーリングを受け付ける毎に応答を返すようにすることにより、キー１０が消費する電力を低減することができる。
【００５７】
続いて、使用制限装置２０の操作頻度検出部２１５は、周期的にキー入力時刻記憶部２１４を参照し（ステップＳ１０３）、前回の参照したときと比較して、新にキー入力時刻が追加されているか否かによって、携帯電話１が操作中であるか否かを判定する（Ｓ１０４）。その結果、携帯電話１が操作中であれば、ポーリング間隔制御部２１７によりポーリング間隔記憶部２２０に記憶されているポーリング間隔Ｔ１をＴ１より長いＴ２に書き換え、書き換えられた新たなポーリング間隔Ｔ２でキー１０との間でポーリングを行う（ステップＳ１０５）。
【００５８】
そして、操作頻度検出部２１５は再び、使用制限装置２０の端末動作確認部２１５によってキー入力時刻記憶部２１４を参照し（ステップＳ１０６）、周期的に携帯電話１が操作されているかを判定して（ステップＳ１０７）、携帯電話１が操作中であればステップＳ１０６の手順に戻り、同様の処理を繰り返す。
【００５９】
一方、ステップＳ１０４及びステップＳ１０７において、操作頻度検出部２１５は、前回の参照したときと比較して、新にキー入力時刻が追加されておらず、携帯電話１が操作中でないと判定された場合は、ポーリング間隔制御部２１７はタイマー（３）２１６を起動し、携帯電話１の直近の操作終了からの経過時間ｔの計時を開始する（ステップＳ１０８）。
【００６０】
続いて、操作頻度検出部２１５は再々度、キー入力時刻記憶部２１４を周期的に参照して携帯電話１の操作状態を確認し（Ｓ１０９）、携帯電話１が操作中であるか否かを判定する（ステップＳ１１０）。判定の結果、ポーリング間隔制御部２１７は、操作中であればタイマー（３）２１６をリセット（ステップＳ１１１）してステップＳ１０６の手順に戻り、以降の処理を繰り返す。
【００６１】
一方、操作頻度検出部２１５がステップＳ１１０の手順で携帯電話１が操作中でないと判定した場合は、ポーリング間隔制御部２１７は、タイマー（３）２１６の計時ｔの値を確認して（ステップＳ１１２）、条件変更のための第１の規定値Ａと比較し、その大小を判定する（ステップＳ１１３）。そして、ｔ＜Ａであれば、ポーリング間隔制御部２１７によりポーリング間隔記憶部２２０に記憶されているポーリング間隔ＴｐをＴ２からＴ３に書き換え（Ｓ１１５）、Ｔ３の間隔でキー１０とポーリングを行う。ここで、Ｔ３はＴ２より小さい任意の時間である。
【００６２】
続いて、操作頻度検出部２１５は、キー入力時刻記憶部２１４を周期的に参照することによって携帯電話１の操作状態を確認し（Ｓ１１７）、携帯電話１が操作中であるか否かを判定する（ステップＳ１１８）。その結果、携帯電話１が操作中であれば、ポーリング間隔制御部２１７の制御に基づいてタイマー（３）２１６をリセット（ステップＳ１１９）して、ステップＳ１０６の手順に戻り、以降の処理を繰り返す。
【００６３】
一方、操作頻度検出部２１５がステップＳ１１８における判定の結果、携帯電話１が操作中でないと判定した場合は、ポーリング間隔制御部２１７はステップＳ１１２におけるタイマー（３）２１６の計時ｔの値を確認する手順に戻り、以降の処理を繰り返す。
【００６４】
また、ポーリング間隔制御部２１７は、ステップＳ１１３においてｔ＜Ａでないと判定した場合は、続いて条件変更のための第２の規定値Ｂと比較し、ｔ＞Ｂであるか否かを判定する（ステップＳ１１４）。判定の結果、ｔ＜Ａでなく、かつｔ＞Ｂであれば、ポーリング間隔制御部２１７は、ポーリング間隔記憶部２２０に記憶されているポーリング間隔ＴｐをＴ２からＴ５に書き換えて（Ｓ１２０）、キー１０とポーリングを行う。ここで、Ｔ５はＴ２より小さい時間である。
【００６５】
一方、ポーリング間隔制御部２１７は、ステップＳ１１４における判定の結果ｔ＞Ｂでない場合は、ポーリング間隔記憶部２２０に記憶されているポーリング間隔ＴｐをＴ２からＴ４に書き換え（Ｓ１１６）、ステップＳ１１７の処理手順に進んで、周期的に携帯電話１の操作状態を確認する。ここで、Ｔ２〜Ｔ５は、Ｔ２＞Ｔ３＞Ｔ４＞Ｔ５の関係を有する任意の時間である。このように、携帯電話への操作を検出している間はポーリング間隔を長く設定し、携帯電話への操作を検出できない間は携帯電話への最新の操作を検出してからの経過時間に応じてポーリング間隔を短く設定することにより、常時同じ間隔でポーリングを行う場合に比較して、携帯電話１の消費電力を低減することができる。さらに、携帯電話１のキー操作が可能ということは既にその時点で相互認証が成立しているので、携帯端末１の利用者は本人が操作していると判断出来るため、キー操作中は未操作時よりも認証間隔を長くしてもセキュリティーレベルを下げないで、電池電池寿命を長くすることができる。
【００６６】
本実施形態では、ポーリング時間間隔Ｔｐとしてとり得る値をＴ１、Ｔ２、Ｔ３、Ｔ４、Ｔ５の５段階としたが、必要に応じて６以上の段階にしてもよい。また、携帯電話１が操作を終了してからの経過時間ｔに関する規定値としてＡ及びＢを規定したが、Ａ、Ｂ、・・・、Ｚ、ＡＡ、ＡＢ、・・・ＡＺ、ＢＡ、ＢＢ、・・・ＢＺなどと、必要に応じて規定値を増やしてもよい。
【００６７】
さらに、ポーリング時間間隔Ｔｐを、ｔの値や電源投入からのフローに従って順にＴ１、Ｔ２、Ｔ３、Ｔ４、Ｔ５とポーリング記憶部２２０の値を書き換えたが、他の方法として、ステップＳ１０５ではＴ１のままで変更しない場合や、Ｓ１１６の手順を省いて、ｔ≧Ａであれば、ステップＳ１２０の手順へと進むようにすることもできる。
【００６８】
また本実施形態では、ポーリング間隔制御部２１７が携帯電話１の直近の操作終了時刻からの経過時間をタイマー（３）２１６で計時してポーリング間隔を決定したが、過去に遡った近々のキー入力された時刻を数個記憶し、それを基に平均操作時間間隔を算出してポーリング間隔を決定するようにしてもよい。
【００６９】
さらに、タイマー（１）１１０としてＧＰＳなどで同期された時刻を用いることもできる。また、送信用と受信用で別々にアンテナを設置してもよい。
【００７０】
なお、以上説明したいずれかの処理を行っている間に、携帯電話１とキー１０が所定の距離を超えて離れることにより信号レベル検出部１０８、２０８が検出する受信信号レベルが低下したときには、図３の機器使用制限信号発生部２１９により使用制限解除信号の出力を停止すると共に、警報回路１１２、２１２により警告信号を出力する。
【００７１】
ここで、キー１０とのポーリング時における受信信号レベルを検出することにより使用制限装置２０とキー１０の距離を検出し、使用制限解除発生部２１９からの使用制限解除信号の出力を制御する動作態様について説明する。図５は、動作手順を説明するためのフローチャートである。
【００７２】
まず、携帯電話１の使用者によって電源が入れられると（ステップＳ１３１）、使用制限装置２０からキー１０に対してポーリングが開始される（ステップＳ１３２）。
【００７３】
図１７は、使用制限装置２０がポーリング間隔Ｔ１にてキー１０に対してポーリングを行い、そのポーリングを受け付けたキー１０が応答する場合のシーケンス図を示している。図１７では、使用制限装置２０からの周期的なポーリング（例えばT1秒）の2以上の整数倍の周期（例えば（T1×２）秒）でキー１０において応答する場合を示している。キー１０は、使用制限装置２０からの周期的なポーリングを受け付ける度に、そのポーリングに対して応答しても構わないが、図１７に示すように、２度ポーリングを受け付ける毎に応答を返すようにすることにより、キー１０が消費する電力を低減することができる。
【００７４】
キー１０は、使用制限装置２０から送られたポーリング信号を無線部１３０で受信し、信号レベル検出部１０８が受信信号レベルＳｋを検出する。そして、検出した受信信号レベルＳｋを通知された認証処理部１０９は、受信信号レベルＳｋが規定値Ｓｋ０より大きいか否かを判定する（ステップＳ１３３）。その結果、受信信号レベルＳｋが規定値Ｓｋ０より小さい場合は、ステップＳ１４１にスキップして警報回路１１２を駆動して警告信号を出力し、携帯電話１の使用者に対して携帯電話１が所定距離以上に離れている旨警告する。
【００７５】
一方、ステップＳ１３３における判定の結果、受信信号レベルＳｋが規定値Ｓｋ０より大きい場合は、続いて認証処理部１０９は、受信信号に含まれる携帯電話１の識別コードを識別コードメモリ１１１に記憶されている識別コードと照合して（ステップＳ１３４）、一致するか否かを判定する（ステップＳ１３５）。
【００７６】
認証処理部１０９は、判定の結果、識別コードが一致しない場合は、ステップＳ１４１にスキップして警報回路１１２から警告信号を出力し、携帯電話１の使用者に対してキー１０に対応した携帯電話１ではないことを警告する。なお、ステップＳ１３５の処理において識別コードが一致しない場合は、ステップＳ１３２にもどって再度使用制限装置２０からのポーリングを待ち受けるようにしてもよい。
【００７７】
一方、認証処理部１０９は、ステップＳ１３５における認証判定の結果、識別コードが一致して認証が行われると、キー１０から携帯電話１の使用制限装置２０に対してポーリングを行う（ステップＳ１３６）。
【００７８】
使用制限装置２０は、キー１０から送られたポーリング信号を無線部２３０で受信し、信号レベル検出部２０８は受信信号レベルＳｍを検出する。そして、検出した受信信号レベルＳｍを通知された認証処理部２０９は、受信信号レベルＳｍが規定値Ｓｍ０より大きいか否かを判定する（ステップＳ１３７）。その結果、受信信号レベルＳｍが規定値Ｓｍ０より小さい場合は、ステップＳ１４１にスキップして警報回路２１２から警告信号を出力し、携帯電話１の使用者に対して携帯電話１が所定距離以上に離れていることを報知する。
【００７９】
図１６は、キー１０がポーリング間隔Ｔ１にて使用制限装置２０に対してポーリングを行い、そのポーリングを受け付けた使用制限装置２０が応答する場合のシーケンス図を示している。図１６では、キー１０からの周期的なポーリング（例えばT1秒）の2以上の整数倍の周期（例えば（T1×２）秒）で使用制限装置２０において応答する場合を示している。使用制限装置２０は、キー１０からの周期的なポーリングを受け付ける度に、そのポーリングに対して応答しても構わないが、図１６に示すように、２度ポーリングを受け付ける毎に応答を返すようにすることにより、使用制限装置２０および携帯電話１が消費する電力を低減することができる。
【００８０】
一方、認証処理部２０９は、ステップＳ１３７における判定の結果、受信信号レベルＳｍが規定値Ｓｍ０より大きい場合は、続いて受信信号に含まれるキー１０の識別コードを識別コードメモリ２１１に記憶されている識別コードと照合して（ステップＳ１３８）、一致するか否かを判定する（ステップＳ１３９）。
【００８１】
認証処理部２０９は、認証判定の結果、識別コードが一致しない場合は、ステップＳ１４１にスキップして警報回路２１２から警告信号を出力し、携帯電話１の使用者に対してキー１０に対応した携帯電話１が存在しないことを警告する。
【００８２】
一方、認証処理部２０９は、ステップＳ１３９における照合判定の結果、識別コードが一致して認証が行われると、使用制限解除信号発生部２１９で使用制限解除信号を生成させて携帯電話１の本体に通知する（ステップＳ１４０）。これによって携帯電話１は操作可能な状態となる。その後、ステップ２０２の手順に戻り、以降の処理を繰り返す。
【００８３】
以上説明したように、このような本発明に係る第１の実施形態の使用制限システムによれば、携帯電話１に内蔵された使用制限装置２０とキー１０は、所定の時間間隔Ｔ１で間欠的にポーリングを開始するとともに、周期的に携帯電話１の操作状態を確認する。そして、携帯電話１が操作中であれば、キー１０とのポーリング間隔をＴ１からＴ２へと長くし、携帯電話１が操作中でなければ、タイマー（３）により直近の操作時刻からの経過時間を計時して、計時した時間に応じてポーリング間隔をＴ１又はＴ２からＴ３〜Ｔ５へと漸次短くしてポーリングを継続する。
【００８４】
これにより、常時同じ間隔でポーリングを行う場合に比較して、携帯電話１の消費電力を低減することができる。さらに、携帯電話１のキー操作が可能ということは既にその時点で相互認証が成立しているので、携帯端末１の利用者は本人が操作していると判断出来るため、キー操作中は未操作時よりも認証間隔を長くしてもセキュリティーレベルを下げないで、電池電池寿命を長くすることができる。
【００８５】
また、キー１０及び使用制限装置２０の双方でポーリングの受信信号レベルを検出して規定値と比較し、規定値に満たない場合に警告信号を出力することにより、携帯電話１の使用者に対してキー１０と携帯電話１が所定距離以上に離れたことを報知することができる。また、ポーリングの受信信号に含まれる識別コードを予め記憶したキー１０及び携帯電話１に固有の識別コードと照合し、一致しない場合に警告信号を出力することにより、キー１０と携帯電話１が符合しないことの警告を行うことができる。
【００８６】
さらに、ポーリングの受信信号レベルが規定値を満たし、かつ識別コードが認証された場合にのみ使用制限解除信号を生成して携帯電話１を操作可能な状態にすることにより、電子機器の置き忘れや盗難に際し、その使用を制限して他人による携帯電話１の不正使用を防止することができる。
【００８７】
（第２の実施形態）
本発明の第２の実施形態に係るキー１０及び使用制限装置２０の構成は、それぞれ図２及び図３において示した第１の実施形態と同じであり、第１の実施形態に係る携帯電話１の使用制限システムにおいて、さらに、キー１０にポーリング間隔を通知する機能を付加したものである。
【００８８】
以下、本実施形態に係る使用制限システムの動作について説明する。図７は、本実施形態に係る使用制限システムの動作手順を説明するためのフローチャートである。
【００８９】
図７において、ステップＳ２０１〜Ｓ２２０の処理手順は、第１の実施形態に係る図４に基づいて説明したステップＳ１０１〜Ｓ１２０の処理手順と同じであり、説明を省略する。
【００９０】
ステップＳ２０２、Ｓ２０５及びＳ２１５において、使用制限装置２０がそれぞれＴ１、Ｔ２及びＴ３のポーリング間隔でキー１０に対してポーリングを開始するのに際し、認証処理部２０９は、識別コードメモリ２１１から読み出した識別コード信号に加え、ポーリング間隔記憶部２２０から読み出したポーリングの時間間隔を無線部２３０に送信させる（ステップＳ２２３、Ｓ２２４、Ｓ２２５）。
【００９１】
これにより、キー１０と使用制限装置２０のポーリング間隔を等しくすることができ、携帯電話１が操作中であれば、キー１０のポーリング間隔をＴ１からＴ２へと長くし、携帯電話１が操作中でなければ、タイマー（３）により直近の操作時刻からの経過時間を計時して、計時した時間に応じてキー１０のポーリング間隔をＴ１又はＴ２からＴ３〜Ｔ５へと漸次短くしてポーリングを行うので、セキュリティーレベルを下げないで携帯電話１およびキー１０の消費電力をさらに低減することが可能となる。
【００９２】
（第３の実施形態）
本発明の第３の実施形態に係るキー１０及び使用制限装置２０の構成は、それぞれ図２及び図３において示した第１の実施形態と同じであり、第１の実施形態に係る携帯電話１の使用制限システムにおいて、さらに、携帯電話１の操作履歴に応じてポーリング間隔を変更してから所定時間の後に携帯電話１の操作をロックする機能を付加したものである。
【００９３】
以下、本実施形態に係る使用制限システムの動作について説明する。図８は、本実施形態に係る使用制限システムの動作手順を説明するためのフローチャートである。
【００９４】
図８において、ステップＳ３０１〜Ｓ３１８の処理手順は、第１の実施形態に係る図４に基づいて説明したステップＳ１０１〜Ｓ１１８の処理手順と同じであり、説明を省略する。
【００９５】
ステップＳ３１４において、認証処理部２０９は、携帯電話１の過去直近の操作終了からの経過時間のタイマー（３）２１６による計時ｔを条件変更のための第２の規定値Ｂと比較し、ｔ＞Ｂであると判定された場合は、使用制限解除信号発生部２１９に指示を出して、携帯電話１の操作を可能にするための使用制限解除信号の出力を停止し、携帯電話１を操作不能にする（ステップＳ３２１）とともに、キー１０及び使用制限装置２０の認証処理部１０９、２０９からそれぞれ無線部１３０、２３０にポーリングを中止する旨指示する（ステップＳ３２２）。
【００９６】
これにより、第１及び第２の実施形態に比較して更に消費電力を低減することができる。また、携帯電話１の操作終了から一定時間が経過すれば、自動的に携帯電話１の操作が不能になるので、キー１０と使用制限装置２０を内蔵する携帯電話１を同時に置き忘れたり、盗難に遭った際に個人情報の漏洩を防止することができ、セキュリティが向上する。
【００９７】
（第４の実施形態）
本発明の第４の実施形態に係るキー１０及び使用制限装置２０の構成は、それぞれ図２及び図３において示した第１の実施形態と同じであり、第３の実施形態に係る携帯電話１の使用制限システムにおいて、さらに、使用制限装置２０からキー１０に対してポーリング間隔を通知する機能を付加したものである。
【００９８】
以下、本実施形態に係る使用制限システムの動作について説明する。図９は、本実施形態に係る使用制限システムの動作手順を説明するためのフローチャートである。
【００９９】
図９におけるステップＳ４０１〜Ｓ４２２の処理手順は、第３の実施形態に係る図８に基づいて説明したステップＳ３０１〜Ｓ３２２の処理手順と同じであり、説明を省略する。
【０１００】
ステップＳ４０２、Ｓ４０５及びＳ４１５において、使用制限装置２０がそれぞれＴ１、Ｔ２及びＴ３のポーリング間隔でキー１０に対してポーリングを開始するに際し、認証処理部２０９は、識別コードメモリ２１１から読み出した識別信号に加え、ポーリング間隔記憶部２２０から読み出したポーリング間隔を無線部に送信させる（ステップＳ４２３、Ｓ４２４、Ｓ４２５）。
【０１０１】
これにより、キー１０と使用制限装置２０のポーリング間隔を等しくすることができ、携帯電話１が操作中であれば、キー１０のポーリング間隔をＴ１からＴ２へと長くし、携帯電話１が操作中でなければ、タイマー（３）により直近の操作時刻からの経過時間を計時して、計時した時間に応じてキー１０のポーリング間隔をＴ１又はＴ２からＴ３〜Ｔ５へと漸次短くしてポーリングを行うので、セキュリティーレベルを下げないで携帯電話１およびキー１０の消費電力をさらに低減することが可能となる。
【０１０２】
また、携帯電話１の操作終了から一定時間が経過すれば、自動的に携帯電話１の操作が不能になるので、キー１０と使用制限装置２０を内蔵する携帯電話１を同時に置き忘れたり、盗難に遭った際に個人情報の漏洩を防止することができ、セキュリティが向上する。
【０１０３】
（第５の実施形態）
本発明の第４の実施形態に係るキー１０及び使用制限装置２０の構成は、それぞれ図２及び図３において示した第１の実施形態と同じであり、第１の実施形態に係る携帯電話１の使用制限システムにおいて、半二重通信によるポーリングを行うものである。
【０１０４】
以下、本実施形態に係る使用制限システムの動作について説明する。図１０は、本実施形態に係る使用制限システムの動作手順を説明するためのフローチャートである。
【０１０５】
まず、使用者によって携帯電話１の電源が入れられると（ステップＳ５３１）、使用制限装置２０からキー１０に対してポーリングが開始される（ステップＳ５３２）。
【０１０６】
キー１０は、使用制限装置２０から送られたポーリング信号を無線部１３０で受信し、認証処理部１０９において受信信号に含まれる携帯電話１の識別コードを識別コードメモリ１１１に記憶されている識別コードと照合して（ステップＳ５３３）、一致するか否かを判定する（ステップＳ５３４）。
【０１０７】
認証判定の結果、識別コードが一致しない場合は、ステップＳ５３８にスキップして警報回路１１２から警告信号を出力し、携帯電話１の使用者に対してキー１０に対応した携帯電話１が存在しないことを警告する。
【０１０８】
一方、認証処理部１０９は、ステップＳ５３４における認証判定の結果、識別コードが一致すると、キー１０から携帯電話１の使用制限装置２０に対してポーリングを行う（ステップＳ５３５）。
【０１０９】
使用制限装置２０は、キー１０から送られたポーリング信号を無線部２３０で受信し、認証処理部２０９は、受信信号に含まれるキー１０の識別コードを識別コードメモリ２１１に記憶されている識別コードと照合して（ステップＳ５３６）、一致するか否かを判定する（ステップＳ５３７）。
【０１１０】
認証判定の結果、識別コードが一致しない場合は、ステップＳ５３８にスキップして警報回路２１２から警告信号を出力し、携帯電話１の使用者に対してキー１０に対応した携帯電話１が存在しないことを警告する。
【０１１１】
一方、認証処理部２０９は、ステップＳ５３７における照合判定の結果、識別コードが一致して認証が行われた場合は、ステップ５３２の手順に戻り、以降の処理手順を繰り返す。
【０１１２】
これにより、携帯電話１の消費電力、特に、キー１０及び使用制限装置２０の増幅部１０２、２０２における消費電力を大幅に低減できるので、電池の寿命をさらに延ばすことが可能となる。
【０１１３】
（第６の実施形態）
本発明の第６の実施形態に係るキー１０及び使用制限装置２０の構成は、それぞれ図２及び図３において示した第１の実施形態と同じであり、第１の実施形態に係る携帯電話１の使用制限システムにおいて、第５の実施形態に係る半二重通信によるポーリングを行うものである。
【０１１４】
以下、本実施形態に係る使用制限システムの動作について説明する。図１１は、本実施形態に係る使用制限システムの動作手順を説明するためのフローチャートである。
【０１１５】
まず、ステップＳ６０１において携帯電話１の電源が投入されると、使用制限装置２０は、ポーリング間隔制御部２１７がポーリング間隔記憶部２２０に記憶すべきポーリング間隔Ｔｐを初期値Ｔ１に書き換える。（ステップＳ６２８）。その後、無線部２３０を介しキー１０に対してポーリングを行う（ステップＳ６２１）。
【０１１６】
続くステップＳ６０３〜Ｓ６１４、Ｓ６１７〜Ｓ６１９の処理手順は、第１の実施形態に係る図４に基づいて説明したステップＳ１０３〜Ｓ１１４、Ｓ１１７〜Ｓ１１９の処理手順と同じであり、説明を省略する。
【０１１７】
ステップＳ６０５、Ｓ６１５、Ｓ６１６及びＳ６２０では、ポーリング間隔制御部２１７がポーリング間隔記憶部２２０に記憶されているポーリング間隔ＴｐをそれぞれＴ２、Ｔ３、Ｔ４及びＴ５に書き換える（ステップＳ６２８）。
【０１１８】
一方、ステップＳ６２２において、キー１０の認証処理部１０９は、使用制限装置２０から間隔Ｔ１でポーリングを行い、携帯電話１から送出された識別コードを識別コードメモリ１１１に記憶されている識別コードと照合して（ステップＳ６２２）、一致するか否かを判定する（ステップＳ６２３）。
【０１１９】
認証処理部１０９は、認証判定の結果、識別コードが一致しない場合は、ステップＳ６２７にスキップして警報回路１１２から警告信号を出力し、携帯電話１の使用者に対してキー１０に対応した携帯電話１が存在しないことを警告する。
【０１２０】
一方、認証処理部１０９は、ステップＳ６２３における認証判定の結果、識別コードが一致して認証が行われると、ポーリング間隔Ｔ１経過後に使用制限装置２０に対してポーリングを行う（ステップＳ６２４）。
【０１２１】
使用制限装置２０は、キー１０から送られたポーリング信号を無線部２３０が受信し、その受信信号に含まれるキー１０の識別コードを認証処理部２０９が識別コードメモリ２１１に記憶されている識別コードと照合して（ステップＳ６２５）、一致するか否かを判定する（ステップＳ６２６）。
【０１２２】
認証処理部２０９は、認証判定の結果、識別コードが一致しない場合は、ステップＳ６２７にスキップして警報回路２１２から警告信号を出力し、携帯電話１の使用者に対してキー１０に対応した携帯電話１が存在しないことを警告する。
【０１２３】
一方、認証処理部２０９は、ステップＳ６２６における認証判定の結果、識別コードが一致して認証が行われた場合は、ステップＳ６２８にスキップしてポーリング間隔記憶部２２０に記憶されているポーリング間隔Ｔｐを書き換えて（ステップＳ６２８）、ステップＳ６２１の手順に戻り、以下ステップＳ６２２〜Ｓ６２８の手順を繰り返す。
【０１２４】
これにより、携帯電話１の消費電力、特に、キー１０及び使用制限装置２０の増幅部１０２、２０２における消費電力を大幅に低減できるので、電池の寿命をさらに延ばすことが可能となる。
【０１２５】
（第７の実施形態）
図１２は、本発明の第７の実施形態に係る使用制限装置２１の概略構成を示す図である。同図に示すように、使用制限装置２１は、第１の実施形態に係る図３に基づいて説明した使用制限装置２０における警報回路２１２に代わって警報部２２１を有する構成である。図３と同一の構成については同一の符号を付して、説明を省略する。
【０１２６】
警報部２２１は、警報報知を開始してからの時間を計測するタイマー（４）２２２と、警報報知を制御する警報制御部２２３と、警報時間を設定する警報時間設定部２２４を備える構成である。
【０１２７】
次に、以上のように構成された本実施形態に係る使用制限システムの動作について説明する。図１３は、本実施形態に係る使用制限システムの動作手順を説明するためのフローチャートである。
【０１２８】
図１３において、ステップＳ７３１〜Ｓ７３８の処理手順は、第５の実施形態に係る図１０に基づいて説明したステップＳ５３１〜Ｓ５３８の処理手順と同じであり、説明を省略する。
【０１２９】
ステップＳ７３９では、警報制御部２２３によりタイマー（４）２２２を起動して警報開始からの経過時間ｔｋを計時する。そして、経過時間ｔｋを任意の規定時間αと比較し（ステップＳ７４０）、経過時間ｔｋが規定時間αを超過しているか否かを判定する（ステップＳ７４１）。その結果、経過時間ｔｋが規定時間αを超過していなければ、警報を継続しながらステップＳ７４０の手順に戻って同様の処理を繰り返す。
【０１３０】
一方、ステップＳ７４１における照合判定の結果、警報時間ｔｋが規定時間αを超過すると、使用制御解除信号発生部２１９における使用制限解除信号の出力を停止して携帯電話１を特定の処置を行わない限り操作不能の状態にするとともに（ステップＳ７４３）、キー１０と使用制限装置２０のポーリングを中止する（ステップＳ７４４）。
【０１３１】
以上説明したように、本実施形態に係る使用制限装置によれば、警報が行われているにも拘わらず強引に携帯電話１が盗まれた場合に、携帯電話１を操作不能の状態にすることができ、個人情報の漏洩を防止してセキュリティを向上させることが可能となる。
【０１３２】
（第８の実施形態）
本発明の第８の実施形態に係るキーの構成は図２において示した第１の実施形態と同じであり、使用制限装置の構成は、図１２において示した第７の実施形態と同じである。
【０１３３】
以下、本実施形態に係る使用制限システムの動作について説明する。図１４は、本実施形態に係る使用制限システムの動作手順を説明するためのフローチャートである。
【０１３４】
図１４におけるステップＳ８３１〜Ｓ８４１の処理手順は、第１の実施形態に係る図５に基づいて説明したステップＳ１３１〜Ｓ１４１の処理手順と同じであり、また、ステップＳ８４２〜Ｓ８４７の処理手順は、第７の実施形態に係る図１３に基づいて説明したステップＳ７３９〜Ｓ７４４の処理手順と同じであり、それぞれ説明を省略する。
【０１３５】
本実施形態に係る使用制限システムによれば、ポーリングの受信信号レベルが規定値を満たし、かつ識別コードが認証された場合にのみ使用制限解除信号を生成して携帯電話１を操作可能な状態にするとともに、警報が行われているにも拘わらず強引に携帯電話１が盗まれた場合に、携帯電話１を操作不能の状態にすることができ、個人情報の漏洩を防止してセキュリティを向上させることが可能となる。
【０１３６】
（第９の実施形態）
図１８は、本発明の第９の実施形態に係るキーの概略構成を示す図である。同図に示すように、キー１０は、無線部１３０と、認証制御部１１３と、警報回路部１１２と、ポーリング間隔を設定するポーリング間隔設定部１２１と、設定したポーリング間隔を記憶するポーリング間隔記憶部１２０と、ポーリング間隔を計時するタイマー１１０と、予め設定されキー１０に固有の識別コードを記憶する識別コードメモリ１１１と、を有する構成である。なお、キー１０の識別コードメモリ１１１はキー１０の固有の識別コードに加えて、ペアとして動作する使用制限装置２０または携帯電話１の固有の識別コードを記憶していてもよい。なお、図１８は、図２の構成要素を具体的かつ明快に示すためのものであり、ほぼ同様の構成と動作である。また、本実施形態における認証制御部１１３は、前記各実施の形態における認証処理部に対応するものである。
【０１３７】
キー１０における無線部１３０は、電波を送受信するアンテナ１００と、送受信部１３１と、信号レベル検出部１０８から構成される。なお、キー１０における送受信部１３１は、前記各実施形態のキーにおける送受信処理部に対応するもので、特に断りのない部分については前記各実施形態のキーにおける送受信処理部と同一である。
送受信部１３１におけるアンテナ１００は、携帯電話１側の使用制限装置２０から送信された電波を受信するとともに、認証制御部１１３からの認証信号を電波に変換する。
【０１３８】
送受信部１３１は前記アンテナ１００により受信した信号を分波、増幅、フィルタリング、復調し、認証制御部１１３に送信するとともに、認証制御部１１３から送られた信号を変調、フィルタリング、増幅してアンテナ１００へと送信する。
【０１３９】
信号レベル検出部１０８は、アンテナ１００により受信した送受信部１３１に送信された信号のレベルを規定値と比較した結果を認証制御部１１３に送信する。
【０１４０】
認証制御部１１３では、使用制限装置２０から送信された信号に対して以下の処理を行う。
信号レベル検出部１０８から送信された規定値との比較結果が、規定値未満の場合、キー１０が使用制限装置２０から所定の距離を超えて離れていると判断し、警報回路部１１２において警告信号を出力させ、規定値以上の場合は、送受信部１３１から送信された信号が識別コードメモリ１１１に記憶された識別コードと一致するか否かの判定へと移行する、一致しない場合は警報回路部１１２において警告信号を出力し、一致する場合は、認証動作を継続する。また、受信信号にポーリング間隔の設定を変更する（またはポーリング間隔を設定する）旨の情報が含まれている場合は、ポーリング間隔設定部１２１において、ポーリング間隔記憶部１２０に記憶されているポーリング間隔を使用制限装置２０から指定してきた設定値に書き換える。
【０１４１】
さらに、認証制御部１１３では、認証動作時に、識別コードメモリから識別コードを読み出し、タイマーによって計時して、ポーリング間隔記憶部１２０に書き込まれている間隔で認証信号を無線部１３０における送受信部１３１に送信する。
【０１４２】
また、ここでは、認証制御部１１３は、信号レベルの判定をした後に、識別コードの判定を行うとして説明をしたが、識別コートの判定を行った後に信号レベルの判定をしてもよいし、双方を平行して処理してもよい。また、認証制御部１１３は、信号レベルの判定をせずに、識別コードを受信できなかったら、キー１０が使用制限装置２０から所定の距離を超えて離れていると判断してもよい。
また、キー１０の識別コードメモリ１１１が、キー１０の固有の識別コードに加えて、ペアとして動作する使用制限装置２０または携帯電話１の固有の識別コードを記憶している場合には、キー１０の認証制御部１１３は受信した識別コードがペアとして動作する使用制限装置２０または携帯電話１の固有の識別コードか否かの判断をし、キー１０はキー１０の固有の識別コードを読み出し、タイマーによって計時して、ポーリング間隔記憶部１２０に書き込まれている間隔で認証信号を無線部１３０における送受信部１３１に送信するようにすることもできる。
【０１４３】
図１９は、本発明の第９の実施形態に係る携帯電話の概略構成を示す図である。同図に示すように、携帯電話１は携帯電話機能部５０と、使用制限装置２０と、を有する。なお、図１９は図３の構成要素を具体的かつ明快に示すためのものであり、ほぼ同様の構成と動作である。また、本実施形態における認証制御部２２５は、前記各実施の形態における認証処理部に対応するものである。
【０１４４】
携帯電話機能部５０は、通常の携帯電話の機能部分であり、具体的には、携帯電話基地局と通信を行う無線通信部５０１と、前記無線通信部５０１の制御をおこなう無線通信制御部５０２と、キー入力部５０３と、音声入出力部５０４と、を有する。
【０１４５】
キー入力部５０３は携帯電話１の操作キーの動作を検出し無線通信制御部５０２にその信号を送信するものである。
【０１４６】
音声入出力部５０４はマイクに入力された音声を電気信号に変換して無線通信制御部５０２に送信する、もしくは、無線通信制御部５０２から送信された電気信号を音声に変換する。
【０１４７】
アンテナ５０５は、相手の通信装置（携帯電話、固定電話、PHS、公衆電話など）からの信号を基地局を介して受信して受信信号を生成して送受切替部５０６を介して受信部５０７に与える。受信部５０７は、アンテナからの受信信号を受けて無線通信制御部５０２に与える。また、送信部５０１は、送信信号をアンテナに与える。アンテナ５０５は、送信部５０８からの送信信号を受けて無線の送信信号を生成して送信する。
【０１４８】
無線通信制御部５０２は、キー入力部５０３からの操作信号に基づいて、送受切替部５０６、送信部５０８、受信部５０７、キー入力部５０３、音声入出力部５０４などを制御する。
【０１４９】
使用制限装置２０は、無線部２３０と、ポーリング処理部２４０と、認証制御部２２５と、機器使用制限信号発生部２１９と、警報回路部２１２と、ポーリング間隔を計時するタイマー２１０と、識別コードメモリ２１１と、から構成される。
無線部２３０を構成する各部は、キー１０における無線部１３０を構成する機能部のうち、同一名称のものと同一の機能を有する。このため、ここでは説明を省略する。
【０１５０】
識別コードメモリ２１１は、予め設定された使用制限装置２０に固有の識別コードを記憶している。なお、使用制限装置２０の識別コードメモリ２１１は使用制限装置２０の固有の識別コードに加えて、ペアとして動作するキー１０の固有の識別コードを記憶していてもよい。
【０１５１】
認証制御部２２５では、キー１０から送信された信号に対して以下の処理を行う。
信号レベル検出部２０８から送信された規定値との比較結果が、規定値未満の場合、使用制限装置２０がキー１０から所定の距離を超えて離れていると判断し、警報回路部２１２において警告信号を出力させ、規定値以上の場合は、送受信部２３１から送信された信号が識別コードメモリに記憶された識別コードと一致するか否かの判定へと移行する、一致しない場合は警報回路部２１２において警告信号を出力させるとともに機器使用制限信号発生部２１９にて使用制限信号を発生させる。一致する場合は、認証動作を継続する。
【０１５２】
さらに、認証制御部２２５では、認証動作時に、識別コードメモリ２１１から識別コードを読み出し、タイマー２１０によって計時して、ポーリング間隔制御部２１７から通知された間隔で認証信号を無線部２３０における送受信部２３１に送信する。
【０１５３】
また、ここでは、認証制御部２２５は、信号レベルの判定をした後に、識別コードの判定を行うとして説明をしたが、識別コートの判定を行った後に信号レベルの判定をしてもよいし、双方を平行して処理してもよい。また、認証制御部１１３は、信号レベルの判定をせずに、識別コードを受信できなかったら、キー１０が使用制限装置２０から所定の距離を超えて離れていると判断してもよい。
認証制御部２２５は、さらに、ポーリング間隔処理部２４０のポーリング間隔制御部２１７によって設定したポーリング間隔（認証間隔）を、送受信部２３１を通してキー１０に通知する。
【０１５４】
機器使用制限信号発生部２１９は、認証制御部２２５において、送受信部２３１から送信された信号が識別コードメモリ２１１に記憶された識別コードと一致するか否かの判定を行った結果、一致しない場合に、認証制御部２２５から送信される制御信号に基づき、機器使用制限信号発生部２１９に使用制限信号を発生させて、携帯電話機能部５０の無線通信制御部５０２に送信する。
【０１５５】
また、認証制御部２２５において、送受信部２３１から送信された信号が識別コードメモリ２１１に記憶された識別コードと一致するか否かの判定を行った結果一致する場合に、認証制御部２２５から送信される制御信号に基づき、機器使用制限信号発生部２１９に使用制限信号の出力を停止させる。
【０１５６】
警報回路部２１２は、認証制御部２２５において使用制限装置２０がキー１０から所定の距離を超えて離れていると判断した場合に認証制御部２２５から送信される制御信号に基づき警報を行う。なお、警報は省略してもよい。
【０１５７】
なお、使用制限装置２０の識別コードメモリ２１１が、使用制限装置２０の固有の識別コードに加えて、ペアとして動作するキー１０の固有の識別コードを記憶している場合には、使用制限装置２０の認証制御部２２５は受信した識別コードがペアとして動作するキー１０の固有の識別コードか否かの判断をし、認証制御部２２５は使用制限装置２０の固有の識別コードを読み出し、タイマーによって計時して、ポーリング間隔制御部２１７から通知された間隔で認証信号を無線部２３０における送受信部２３１に送信するようにすることもできる。
また、使用制限装置２０の認証制御部２２５は、ペアとして動作するキー１０の固有の識別コードを受信できなかったら、直ちにキー１０が使用制限装置２０から所定の距離を超えて離れていると判断するのではない構成にすることもできる。すなわち、認証制御部２２５は、ペアとして動作するキー１０の固有の識別コードを受信した後、乱数（チャレンジ信号）をキー１０に送信し、これに対する応答信号（レスポンス信号）を受信し、応答信号（レスポンス信号）がペアとなっているキー１０からの応答信号であることを確認できた場合に機器使用制限信号発生部２１９から使用制限を解除する信号を出力し、または、確認できなかった場合に使用制限をかける信号を出力することもできる。ここで、応答信号（レスポンス信号）は、乱数（チャレンジ信号）を共通鍵で暗号化したものとすることによって、使用制限装置２０は、受信した応答信号（レスポンス信号）を同一の共通鍵で復号することにより、復号した結果が送信した乱数（チャレンジ信号）と同一であることを確認することによって、受信した応答信号がペアとなっているキー１０からの応答信号であることをより確実に確認することができる。ここで、キー１０および使用制限装置２０は、同一の共通鍵を記憶しているとする。
また、チャレンジ信号およびレスポンス信号を使用する場合には、前述の使用制限装置２０からキー１０へのポーリング間隔（認証間隔）の通知は、チャレンジ信号に付加して使用制限装置２０からキー１０へ仮通知し、レスポンス信号に付加してキー１０から使用制限装置２０へ確認（ACK）を行い、最後に使用制限装置２０からキー１０へ使用制限装置２０の固有の識別コードに付加して通知することもできる。または、少なくともチャレンジ信号に付加して使用制限装置２０からキー１０へ通知し、レスポンス信号に付加してキー１０から使用制限装置２０へ確認（ACK）を行うこともできる。そして、使用制限装置２０は、レスポンス信号に付加してキー１０から使用制限装置２０へ確認（ACK）を受信後に、通知の内容に設定を変更することもできる。同様に、キー１０は、使用制限装置２０からの最後の通知後に通知の内容に設定を変更することもできる。このような手順を踏めば、より確実に通知をすることができる。このような通知を確実にすることは、認証を確実に行ううえでも重要である。
【０１５８】
ポーリング処理部２４０は、ポーリング間隔制御部２１７と、操作頻度検出部２１５とからなる構成である。
操作頻度検出部２１５は、キー入力部５０３で検出した携帯電話１のキー操作頻度を検出してポーリング間隔制御部２１７へとその頻度を送信する。
【０１５９】
ポーリング間隔制御部２１７は、操作頻度検出部２１５から受信した結果に基づいてポーリング間隔を決定し、その結果を認証制御部２２５に送信する。
【０１６０】
図１９では使用制限装置２０の内部にタイマー２１０を設けたブロック図としているが、タイマーは、携帯電話機能部５０が有しているクロック信号を（必要であれば分周して）カウントする構成にすることができる。すなわち、操作等を検出した時点からのクロック信号のパルス等を（必要であれば分周して）カウントする構成にすることができる。
【０１６１】
次に、以上のように構成された使用制限装置の動作について図２０、図２１、図２２を用いて説明する。
【０１６２】
図２０は、本発明の第９の実施形態の使用制限装置によるポーリング間隔設定の動作を説明した図である。
まず、携帯電話１の電源が投入されると（ステップＳ２００１）、使用制限装置２０は、タイマー２１０をONにし（ステップＳ２００２）、ポーリング間隔ＴｐをＴ１値として（ステップＳ２００３）、無線部２３０を介してポーリングを開始するとともに、キー１０側に送信する認証信号の一部にポーリング間隔の情報を含めるなどしてキーに通知する。
【０１６３】
続いて、使用制限装置２０のポーリング間隔制御部２１７は、操作頻度検出部２１９に周期Δｔの間隔でキー入力部５０３を参照させ、携帯電話１が操作中であるか否かを判定する（ステップＳ２００４）。その結果、携帯電話１が操作中であれば（ステップＳ２００５）、タイマー２１０の値をリセットする（ステップＳ２００６）。
【０１６４】
その後、電源OFFボタンが押されない場合は（ステップＳ２００７）、タイマー２１０をONにし、ポーリング処理部２４０で生成されたポーリング間隔ＴｐをＴ１値として無線部２３０を介してポーリングを開始する動作に戻る。電源OFFボタンが押された場合は（ステップＳ２００７）、本フローは終了する。
【０１６５】
一方、携帯電話１が操作中で無ければ（ステップＳ２００５）、タイマー２１０の計時を継続する。タイマー２１０の値（ｔ）に応じて、例えば、ｔ＜AならTp=T1に、A≦ｔ＜BならTp=T2に、B≦ｔ＜CならTp=T3に、C≦ｔならTp=T4へと設定するとともに（ステップＳ２００８）、キー１０側に送信する認証信号の一部にポーリング間隔の情報を含めるなどしてキーに通知する。
【０１６６】
その後、電源OFFボタンが押されない場合（ステップＳ２００９）、使用制限装置２０のポーリング間隔制御部２１７は、再び操作頻度検出部２１５に周期Δｔの間隔でキー入力部５０３を参照させ、携帯電話１が操作中であるか否かを判定する動作に戻る。電源OFFボタンが押された場合は、本フローは終了する。
【０１６７】
図２１は、図２０における操作頻度検出部の検出方法の一例を説明した図である。
キー入力部５０３により、携帯電話１の電源がＯＮ（ステップＳ２１０１）された後はポーリング間隔ＴｐをＴ１（デフォルトの時間間隔）と設定して認証を行う。その後Ｈ１時Ｍ１分、Ｈ２時Ｍ１分に操作があったとする（ステップＳ２１０２、ステップＳ２１０３）。操作頻度検出部２１５はΔｔの時間の間に操作があったことを検出し、ポーリング間隔制御部２１７に通知する。ポーリング間隔制御部２１７は時間Δｔの間に操作があったため、現在ユーザが携帯電話１を操作中であると判断してタイマー値をリセットする（ステップＳ２１０４）と共に、ポーリング間隔ＴｐをＴ１と設定する（ステップＳ２１０５）。
【０１６８】
操作頻度検出部２１５は、次のΔｔの時間の間に、キー入力部５０３からの入力がないことを検出し、ポーリング間隔制御部２１７に通知する。ポーリング間隔制御部２１７は時間Δｔの間に操作がなかったため、現在ユーザが携帯電話１を操作していないと判断してタイマー値を継続する（ステップＳ２１０６）と共に、ポーリング間隔ＴｐをＴ２と設定する（ステップＳ２１０７）。
【０１６９】
次に、操作頻度検出部２１５は、次のΔｔの時間の間に、キー入力部からの入力がないことを検出し、ポーリング間隔制御部２１７に通知する。ポーリング間隔制御部２１７は時間2×Δｔの間に操作がなかったため、現在ユーザが携帯電話１を操作していないと判断してタイマー２１０による計時を継続する（ステップＳ２１０８）と共に、ポーリング間隔ＴｐをＴ３と設定する（ステップＳ２１０９）。
【０１７０】
次に、操作頻度検出部２１５はΔｔの時間の間に操作があったことを検出し、ポーリング間隔制御部２１７に通知する。ポーリング間隔制御部２１７は時間3×Δｔの間に操作があったため、現在ユーザが携帯電話１を操作中であると判断してタイマー２１０のタイマー値をリセットする（ステップＳ２１１０）と共に、ポーリング間隔ＴｐをＴ２と設定する（ステップＳ２１１１）。
【０１７１】
図２２、図２３は、図２０におけるポーリング間隔推移のフローの一例を説明した図である。
図２２は、キー１０側から認証信号を送信してそれに対して使用制限装置２０が応答する場合で、図２３は、図２２の逆で使用制限装置２０側から認証信号を送信してそれに対してキー１０が応答する場合である。
【０１７２】
図２２について下記で説明する。
キー１０からポーリング間隔＝T1秒周期にて携帯電話に認証信号が送信された信号を使用制限装置２０が受信し、図１９の説明で記したように、その受信した信号レベルの判定と、識別コードの判定を行う。受信した信号が、自身のキーからの信号でありキーとの距離が規定値以内である場合キーに対して応答する。
【０１７３】
その後、操作頻度検出部２１５が端末の操作状態を確認した結果、図２０のフローにてポーリング間隔TpをT１からT2へと変更することとなったとすると、再度、キー１０からポーリング間隔＝T1秒周期にて使用制限装置２０に認証信号が送信された信号を使用制限装置２０にて受信した後のキー１０への応答信号に、ポーリング間隔TpをT2と変更する旨の内容を含ませて応答する。その信号を受信したキー１０は、それ以降ポーリング間隔T２にてポーリングを行う。
【０１７４】
図２３の場合は、認証信号を送信するのがキー１０ではなく使用制限装置２０となってはいるが、使用制限装置２０からポーリング間隔Tpの変更を通知しポーリング間隔を変更していくという動作の流れは図２２と同様である。
【０１７５】
図２４は、図２０のフローに基いてポーリング間隔を設定した後の認証動作、機能制限動作を示した図であり、キー１０と使用制限装置２０の双方で認証を行う場合の動作を示している。この場合、どちらからポーリングをおこなったとしても、認証結果は同じとなる。
【０１７６】
キー１０は、使用制限装置２０から時間間隔Ｔｐで送信されてくるポーリング信号を無線部１３０で受信し（ステップＳ２４０１）、信号レベル検出部１０８で受信信号レベルＳｋを検出する（ステップＳ２４０２）。そして、検出した受信信号レベルＳｋを認証制御部１１３に通知し、受信信号レベルＳｋが規定値Ｓｋ０より大きいか否かを判定する（ステップＳ２４０３）。その結果、認証制御部１１３は、受信信号レベルＳｋが規定値Ｓｋ０より小さい場合は、キー１０警報回路部１１２を駆動して警告信号を出力し（ステップＳ２４０４）、キー１０の使用者に対して携帯電話１が所定距離以上に離れている旨警告する。
【０１７７】
認証制御部１１３は、一方、判定の結果、受信信号レベルＳｋが規定値Ｓｋ０より大きい場合は、続いて認証制御部１１３で受信信号に含まれる使用制限装置２０の識別コードを識別コードメモリ１１１に記憶されている識別コードと照合して、一致するか否かを判定する（ステップＳ２４０５）。
【０１７８】
判定の結果、識別コードが一致しない場合は、キー１０の警報回路部１１２から警告信号を出力し、キー１０の使用者に対してキー１０に対応した携帯電話１ではないことを警告する（ステップＳ２４０４）。
【０１７９】
一方、認証判定の結果、識別コードが一致して認証が行われると、電源OFFボタンが押されない限り、キー１０による携帯電話１の使用制限装置２０からのポーリング信号の受信が継続されることになる。電源OFFボタンが押された場合は、本フローは終了する。
【０１８０】
また、使用制限装置２０は、キー１０から時間間隔Ｔｐで送信されてくるポーリング信号を無線部２３０で受信し（ステップＳ２４０１）、信号レベル検出部２０８で受信信号レベルＳｋを検出する（ステップＳ２４０２）。そして、検出した受信信号レベルＳｋを認証制御部２２５に通知し、認証制御部２２５は、受信信号レベルＳｋが規定値Ｓｋ０より大きいか否かを判定する（ステップＳ２４０３）。その結果、認証制御部２２５は、受信信号レベルＳｋが規定値Ｓｋ０より小さい場合は使用制限装置２０の警報回路部２１２を駆動して警告信号を出力し（ステップＳ２４０４）、携帯電話１の使用者に対してキー１０が所定距離以上に離れている旨警告するとともに、機器使用制限信号発生部２１９に使用制限信号を発生させて携帯電話１に対する機能制限（ロック）を行う（ステップＳ２４０６）。
【０１８１】
認証制御部２２５は、一方、判定の結果、受信信号レベルＳｋが規定値Ｓｋ０より大きい場合は、続いて認証制御部２２５で受信信号に含まれるキー１０の識別コードを識別コードメモリ２１１に記憶されている識別コードと照合して、一致するか否かを判定する（ステップＳ２４０５）。
【０１８２】
認証制御部２２５は、判定の結果、識別コードが一致しない場合は、使用制限装置２０の警報回路部２１２から警告信号を出力し、携帯電話１の使用者に対してキー１０に対応した携帯電話１ではないことを警告するとともに、機器使用制限信号発生部２１９に使用制限信号を発生させて携帯電話１に対する機能制限（ロック）を行う（ステップＳ２４０６）。
【０１８３】
認証制御部２２５は、一方、認証判定の結果、識別コードが一致して認証が行われると、機器使用制限信号発生部２１９による使用制限信号の発生を停止させて、携帯電話１の利用を可能とする（ステップＳ２４０７）。電源OFFボタンが押されない限り（ステップＳ２４０８）、使用制限装置２０によるキー１０からのポーリング信号の受信が継続される。電源OFFボタンが押された場合は、本フローは終了する
【０１８４】
図２５は、操作時と未操作時で、図２４における閾値をSk0とSk1と変えた場合のフローである。
【０１８５】
その後、使用制限装置２０は、端末の操作状態に応じて図２０で示したポーリング間隔設定フロー処理を行うことと並行して、キー１０から時間間隔Ｔｐで送信されてくるポーリング信号を無線部２３０で受信し（ステップＳ２４０１）、信号レベル検出部２０８で受信信号レベルＳｋを検出する（ステップＳ２４０２）。
【０１８６】
使用制限装置２０において、ポーリング間隔制御部２１７は、操作頻度検出部２１５に周期Δｔの間隔でキー入力部５０３を参照させ、携帯電話１が操作中であるか否かを判定する（ステップＳ２５０１。処理内容は図２０におけるステップＳ２００４の処理と同様）。この後、認証制御部２２５は、ポーリング間隔設定後にキー１０側に送信する認証信号の一部に、ポーリング間隔の情報と携帯電話１が端末操作中か否かの情報を含めるなどしてキーに通知する。
【０１８７】
そして、検出した受信信号レベルＳｋを通知された認証制御部２２５は、ステップＳ２５０１の処理において端末操作中であった場合は、受信信号レベルＳｋが規定値Ｓｋ０より大きいか否かを判定し（ステップＳ２５０２）、ステップＳ２５０１の処理において端末操作中でなかった場合は、受信信号レベルＳｋが規定値Ｓｋ1より大きいか否かを判定する（ステップＳ２５０３）。
【０１８８】
その結果、認証制御部２２５は、受信信号レベルＳｋが規定値（端末操作中であった場合はＳｋ０、操作中でなかった場合はSk1）より小さい場合は使用制限装置２０の警報回路部２１２を駆動して警告信号を出力し、携帯電話１の使用者に対してキー１０が所定距離以上に離れている旨警告する（ステップＳ２４０４）とともに、機器使用制限信号発生部２１９に使用制限信号を発生させて携帯電話１に対する機能制限（ロック）を行う（ステップＳ２４０６）。
【０１８９】
一方、認証制御部２２５は、判定の結果、受信信号レベルＳｋが規定値（端末操作中であった場合はＳｋ０、操作中でなかった場合はSk1）より大きい場合は、続いて受信信号に含まれるキー１０の識別コードを識別コードメモリ２１１に記憶されている識別コードと照合して、一致するか否かを判定する（ステップＳ２４０５）。
【０１９０】
認証制御部２２５は、判定の結果、識別コードが一致しない場合は、キーまたは携帯電話の警報回路部から警告信号を出力し、携帯電話１の使用者に対して携帯電話１に対応したキー１０ではないことを警告するとともに、機器使用制限信号発生部２１９に使用制限信号を発生させて携帯電話１に対して機能制限（ロック）を行う（ステップＳ２４０６）。
【０１９１】
一方、認証制御部２２５は、認証判定の結果、識別コードが一致して認証が行われると、機器使用制限信号発生部２１９による使用制限信号の発生を停止させて、携帯電話１の利用を可能とする。電源OFFボタンが押されない限り、使用制限装置２０によるキー１０からのポーリング信号の受信が継続される。電源OFFボタンが押された場合は、本フローは終了する。
【０１９２】
また、キー１０は、使用制限装置２０から送られたポーリング信号を無線部１３０で受信し（ステップＳ２４０１）、信号レベル検出部１０８で受信信号レベルＳｋを検出する（ステップＳ２４０２）。さらに、認証制御部１１３は、受信したポーリング信号に含まれる、携帯電話１が端末操作中か否かの情報を取得し、その情報に応じて受信信号レベルＳｋの閾値となる規定値をＳｋ０あるいはＳｋ１に設定する（ステップＳ２５０１）。
【０１９３】
信号レベル検出部１０８から受信信号レベルＳｋを通知された認証制御部１１３は、受信信号レベルＳｋが規定値（端末操作中であった場合はＳｋ０（ステップＳ２５０２）、操作中でなかった場合はSk1（ステップＳ２５０３））より大きいか否かを判定する。その結果、受信信号レベルＳｋが規定値（端末操作中であった場合はＳｋ０、操作中でなかった場合はSk1）より小さい場合は、キー１０の警報回路部１１２を駆動して警告信号を出力し、キー１０の使用者に対して携帯電話１が所定距離以上に離れている旨警告する（ステップＳ２４０４）とともに、機器使用制限信号発生部２１９に使用制限信号を発生させて携帯電話１に対する機能制限（ロック）を行う（ステップＳ２４０６）。
【０１９４】
一方、認証制御部１１３は、判定の結果、受信信号レベルＳｋが規定値（端末操作中であった場合はＳｋ０、操作中でなかった場合はSk1）より大きい場合は、続いて受信信号に含まれる使用制限装置２０の識別コードを識別コードメモリ１１１に記憶されている識別コードと照合して、一致するか否かを判定する（ステップＳ２４０５）。
【０１９５】
認証制御部１１３は、判定の結果、識別コードが一致しない場合は、キー１０の警報回路部１１２から警告信号を出力し、キー１０の使用者に対してキー１０に対応した携帯電話１ではないことを警告するとともに、機器使用制限信号発生部２１９に使用制限信号を発生させて携帯電話１に対して機能制限（ロック）を行う（ステップＳ２４０６）。
【０１９６】
一方、認証制御部１１３は、認証判定の結果、識別コードが一致して認証が行われると、携帯電話１の利用を可能になる（ステップＳ２４０６）。電源OFFボタンが押されない限り、キー１０による携帯電話１の使用制限装置からのポーリングの受信が継続される。電源OFFボタンが押された場合は、本フローは終了する。
【０１９７】
ここで、T2＞T3>T４＞T5とした場合は、キー操作中は未操作時よりも認証間隔を長くなることになる。そして、携帯電話１のキー操作が可能ということは既にその時点で相互認証が成立しているので、携帯端末１の利用者は本人が操作していると判断出来るため、キー操作中は未操作時よりも認証間隔を長くしてもセキュリティーレベルを下げないで、電池電池寿命を長くすることができる。
【０１９８】
更に、ユーザが携帯電話を一旦使用しない状態から再度利用しようとした場合、未使用時は認証間隔が短いため携帯電話１のユーザはそれほど待つことなく携帯電話１を再度利用出来ることになる。
【０１９９】
具体例で説明する。例えばT1＝T2=15秒、T５＝1秒と設定したとすると、携帯電話１の利用時は１５秒間隔で認証が行われ、未使用時は1秒間隔で認証が行われる。そのため、一旦利用停止していいたユーザが再度利用しようとした時は、認証間隔として１秒しかかからないため、相互認証が成立して携帯電話１を再度利用可能な状態になるまでの待ち時間は１秒程度となり、携帯電話１が利用可能となるまでそれほど待たなくて良い。
【０２００】
これにより、常時同じ間隔でポーリングを行う場合に比較して、携帯電話１の消費電力を低減することができる。さらに、携帯電話１のキー操作が可能ということは既にその時点で相互認証が成立しているので、携帯端末１の利用者は本人が操作していると判断出来るため、キー操作中は未操作時よりも認証間隔を長くしてもセキュリティーレベルを下げないで、電池電池寿命を長くし、更にユーザの使い勝手を向上させることができる。
なお、本実施の形態において、ポーリングというときには、キー１０および使用制限装置２０の固有の識別コードをそれぞれ送受信するだけにすることもできるし、キー１０がキー１０の固有の識別コードを送信し、使用制限装置２０がキー１０の固有の識別コードを受信した後、乱数（チャレンジ信号）をキー１０に送信し、これに対する応答信号（レスポンス信号）を受信し、応答信号（レスポンス信号）がペアとなっているキー１０からの応答信号であることを確認できた場合に使用制限装置２０の固有の識別コードを送信し、機器使用制限信号発生部２１９から使用制限を解除する信号を出力し、または、確認できなかった場合に使用制限をかける信号を出力するようにすることもできる。このポーリングの意味は、他の実施の形態でも同様である。
【０２０１】
（第１〜第９の実施の形態に対する補足）
なお、上記第１〜第９の実施の形態では、置き忘れや盗難に際しその使用を制限する電子機器として図１５（ａ）のように携帯電話を例示したが、制限する電子機器としては図１５（b）、図１５（ｃ）に示すように、ＰＤＡ２、パソコン３等の機器としても良い。
また、図６（ａ）、（ｂ）に示すようにＰＤＡ２やパソコン３に使用制限装置を内蔵し、キーの機能を持たせた携帯電話１１との間でそれぞれポーリングを行い、ＰＤＡ２やパソコン３の置き忘れや盗難に際してその使用を制限することもできる。さらに、不図示のゲーム機、携帯音楽プレーヤ、自動車や金庫のキーレスシステムにおいても本発明を同様に適用できることはいうまでもない。
【０２０２】
また、本実施形態ではポーリングを行う通信媒体として、ＲＦＩＤで使用される短距離通信用無線電波やＵＷＢ無線等を例示したが、これら電波以外にＩｒＤＡ等による赤外線通信や超音波等の音響通信を用いることもできる。
【０２０３】
上記第１〜第８の実施の形態において、タイマー（２）とタイマー（３）を区別して説明しているが、１つのタイマーを利用し、必要な時間を算出することで認証処理やポーリングの制御をしても良い。
【０２０４】
また、上記第１〜第９の実施の形態においては、操作頻度検出部２１５はキー入力の有無を定期的にチェックすることで携帯電話が操作中かどうかを判断しているが、キー入力の有無以外にも、通話機能や通信機能を利用しているかどうかを含めて判断しても良い。
【０２０５】
この場合、操作頻度検出部２１５を、端末を利用しているかどうかを確認する端末利用確認部に置き換え、キー入力時刻記憶部２１４を、端末を利用していると判断した時刻を記憶する端末利用時刻記憶部に置き換えれば良い。
【０２０６】
また、折りたたみ式（例えば株式会社エヌ・ティ・ティ・ドコモ におけるP700i）やスライド式（例えば株式会社エヌ・ティ・ティ・ドコモ におけるＤ253i）や回転式（例えば株式会社エヌ・ティ・ティ・ドコモ におけるP506iC）の携帯電話においては、キーの入力だけでなく、携帯電話の液晶部分の開閉操作を含めて定期的にチェックすることで携帯電話が操作中かどうかを判断しても良い。
【０２０７】
また、上記第１〜第９の実施の形態においては、T2＞T3＞T４＞T5として説明したが、T2＜T3＜T４＜T5としても良い。T2＞T3>T４＞T5とした場合は、頻繁に携帯電話を利用する方がポーリング間隔が長くなるため、ユーザが携帯電話を頻繁に利用する場合消費電力を低減する効果がある。T2＜T3＜T４＜T5とした場合は、携帯電話を操作していていない時間が長いほどポーリング間隔が長くなるため、ユーザが携帯電話をあまり頻繁に利用しない場合、消費電力を低減する効果がある。
また、ユーザが携帯電話を操作することでどちらかを選択するようにしても良い。
【０２０８】
また、上記第１〜第９の実施の形態においては、機器使用制限信号発生部２１９は、受信レベルの比較結果に応じて使用制限解除信号を出力する場合を説明したが、これらの信号出力に限定するものではなく、例えば、受信レベルの比較結果に応じて使用制限許可信号または使用制限信号または使用制限解除信号を出力又は停止するようにして、携帯電話の使用可否を実行させるようにしてもよい。
【０２０９】
また、上記第１〜第９の実施の形態を組み合わせて実施してもよい。
【０２１０】
本発明を詳細にまた特定の実施態様を参照して説明したが、本発明の精神と範囲を逸脱することなく様々な変更や修正を加えることができることは当業者にとって明らかである。
【０２１１】
本出願は、2005年4月22日出願の日本特許出願（特願2005−125156）に基づくものであり、その内容はここに参照として取り込まれる。
【産業上の利用可能性】
【０２１２】
本発明の使用制限装置、キーおよび使用制限システムは、機器の置き忘れや盗難に際し、その使用を制限して他人による不正使用を防止するとともに、電力消費を抑制することのできる機器使用制限システム、使用制限装置及びキーを提供できる効果を有し、携帯電話やＰＤＡ、パソコン等の通信装置及び情報処理装置に有用である。
【図面の簡単な説明】
【０１３４】
【図１】本発明の実施形態に係る携帯電話の使用制限システムの概略構成を示す図
【図２】本発明の第１の実施形態に係るキーの概略構成を示す図
【図３】本発明の第１の実施形態に係る使用制限装置の概略構成を示す図
【図４】本発明の第１の実施形態に係る携帯電話の使用制限システムの動作手順を説明するためのフローチャート
【図５】本発明の第１の実施形態に係る携帯電話の使用制限システムにおける使用制限解除信号を制御する手順を説明するためのフローチャート
【図６】（ａ）第１の実施形態に係るＰＤＡの使用制限システムにおける概略構成を示す図、（ｂ）第１の実施形態に係るパソコンの使用制限システムにおける概略構成を示す図
【図７】本発明の第２の実施形態に係る携帯電話の使用制限システムの動作手順を説明するためのフローチャート
【図８】本発明の第３の実施形態に係る携帯電話の使用制限システムの動作手順を説明するためのフローチャート
【図９】本発明の第４の実施形態に係る携帯電話の使用制限システムの動作手順を説明するためのフローチャート
【図１０】本発明の第５の実施形態に係る携帯電話の使用制限システムの動作手順を説明するためのフローチャート
【図１１】本発明の第６の実施形態に係る携帯電話の使用制限システムの動作手順を説明するためのフローチャート
【図１２】本発明の第７の実施形態に係る使用制限装置２１の概略構成を示す図
【図１３】本発明の第７の実施形態に係る携帯電話の使用制限システムの動作手順を説明するためのフローチャート
【図１４】本発明の第８の実施形態に係る携帯電話の使用制限システムの動作手順を説明するためのフローチャート
【図１５】（ａ）本発明の実施形態における携帯電話の使用制限システムの概略構成を示す図、（ｂ）本発明の実施形態におけるＰＤＡの使用制限システムの概略構成を示す図、（ｃ）本発明の実施形態におけるパソコンの使用制限システムの概略構成を示す図
【図１６】キーが使用制限装置に対してポーリングを行い、そのポーリングを受け付けた使用制限装置が応答する場合のシーケンス図
【図１７】使用制限装置がキーに対してポーリングを行い、そのポーリングを受け付けたキーが応答する場合のシーケンス図
【図１８】本発明の第９の実施形態に係るキーの概略構成を示す図
【図１９】本発明の第９の実施形態に係る携帯電話の概略構成を示す図
【図２０】本発明の第９の実施形態の使用制限装置によるポーリング間隔設定の動作を説明した図
【図２１】図２０における操作頻度検出部の検出方法の一例を説明した図
【図２２】図２０におけるポーリング間隔推移のフローの一例を説明した図
【図２３】図２０におけるポーリング間隔推移のフローの一例を説明した図
【図２４】図２０のフローに基いてポーリング間隔を設定した後の認証動作、機能制限動作を示した図
【図２５】  図２５は、操作時と未操作時で、図２４における閾値を変えた場合のフロー
【符号の説明】
【０１３５】
１  携帯電話
１０  キー
２０、２１  使用制限装置
１０８、２０８  信号レベル検出部
１０９、２０９  認証処理部
１１０、２１０、２１６  タイマー
１１１、２１１  識別コードメモリ
１１２、２１２  警報回路、警報回路部
１１３、２２５  認証制御部
１２０、２２０  ポーリング間隔記憶部
１２１  ポーリング間隔設定部
１３０、２３０  無線部
１３１、２３１  送受信部
２１３  キー入力部
２１４  キー入力時刻記憶部
２１５  操作頻度検出部
２１７  ボーリング間隔制御部
２１８  ポーリング間隔設定記憶部
２１９  機器使用制限信号発生部
２４０  ポーリング処理部
５０  携帯電話機能部
５０１  無線通信部
５０２  無線通信制御部
５０３  キー入力部
５０４  音声入出力部
１００、２００、５０５  アンテナ
５０６  送受信切替部
５０７  受信部
【図１】
0004422151.tif 000002
【図２】
0004422151.tif 000003
【図３】
0004422151.tif 000004
【図４】
0004422151.tif 000005
【図５】
0004422151.tif 000006
【図６】
0004422151.tif 000007
【図７】
0004422151.tif 000008
【図８】
0004422151.tif 000009
【図９】
0004422151.tif 000010
【図１０】
0004422151.tif 000011
【図１１】
0004422151.tif 000012
【図１２】
0004422151.tif 000013
【図１３】
0004422151.tif 000014
【図１４】
0004422151.tif 000015
【図１５】
0004422151.tif 000016
【図１６】
0004422151.tif 000017
【図１７】
0004422151.tif 000018
【図１８】
0004422151.tif 000019
【図１９】
0004422151.tif 000020
【図２０】
0004422151.tif 000021
【図２１】
0004422151.tif 000022
【図２２】
0004422151.tif 000023
【図２３】
0004422151.tif 000024
【図２４】
0004422151.tif 000025
【図２５】
0004422151.tif 000026